(57)【要約】【課題】着信先に予め登録してある着信可能電話番号以外の任意の電話番号の電話機から通話相手先を呼び出すことができるようにすること。【解決手段】発信元電話機から入力される発信者の認証キーおよび着信先電話機へ通知する電話番号を利用者情報データベースに登録する第１のステップと、登録後、任意の発信元電話機からの電話番号変換サービス要求を受け、当該発信元電話機から入力される発信者の認証キーが利用者情報データベースに登録されているかを判定する第２のステップと、利用者認証が肯定された場合のみ前記任意の発信元電話機から着信先電話番号を受付け、当該任意の発信元電話機の電話番号を利用者情報データベースに登録されている着信先への通知電話番号に変換する第３のステップと、第３のステップで受付けた着信先電話番号の電話機に対し、変換した通知電話番号を付加して発呼する第４のステップとを備えることを特徴とする。【選択図】        図１
2005012658.tif 000002
【特許請求の範囲】
【請求項１】
発信元電話機の電話番号を発信者が指定した電話番号に変換して着信先電話機に発呼信号と共に送信する発信者電話番号変換方法であって、
予め発信元電話機から電話番号変換サービスを受けるための利用者登録要求を受付け、発信元電話機から入力される発信者の認証キーおよび着信先電話機へ通知する電話番号を利用者情報データベースに登録する第１のステップと、
前記利用者情報データベースへの登録後、任意の発信元電話機からの電話番号変換サービス要求を受け、当該任意の発信元電話機から入力される発信者の認証キーが前記利用者情報データベースに登録されているかを判定する利用者認証処理を行う第２のステップと、
前記利用者認証処理において利用者認証が肯定された場合のみ前記任意の発信元電話機から着信先電話番号を受付け、当該任意の発信元電話機の電話番号を前記利用者情報データベースの当該発信者の認証キーと共に登録されている着信先への通知電話番号に変換する第３のステップと、
前記第３のステップで受付けた着信先電話番号の電話機に対し、前記変換した通知電話番号を付加して発呼する第４のステップと
を備えることを特徴とする発信者電話番号変換方法。
【請求項２】
前記第１のステップにおいて、電話番号変換サービスに係る課金先をさらに受付け、前記利用者情報データベースに登録することを特徴とする請求項１に記載の発信者電話番号変換方法。
【請求項３】
発信元電話機の電話番号を発信者が指定した電話番号に変換して着信先電話機に発呼信号と共に送信する発信者電話番号変換装置であって、
予め発信元電話機から電話番号変換サービスを受けるための利用者登録要求を受付け、発信元電話機から入力される発信者の認証キーおよび着信先電話機へ通知する電話番号を利用者情報データベースに登録する第１の手段と、
前記利用者情報データベースへの登録後、任意の発信元電話機からの電話番号変換サービス要求を受け、当該任意の発信元電話機から入力される発信者の認証キーが前記利用者情報データベースに登録されているかを判定する利用者認証処理を行う第２の手段と、
前記利用者認証処理において利用者認証が肯定された場合のみ前記任意の発信元電話機から着信先電話番号を受付け、当該任意の発信元電話機の電話番号を前記利用者情報データベースの当該発信者の認証キーと共に登録されている着信先への通知電話番号に変換する第３の手段と、
前記第３の手段で受付けた着信先電話番号の電話機に対し、前記変換した通知電話番号を付加して発呼する第４の手段と
を備えることを特徴とする発信者電話番号変換装置。
【請求項４】
発信元電話機の電話番号を発信者が指定した電話番号に変換して着信先電話機に発呼信号と共に送信する発信者電話番号変換プログラムであって、
予め発信元電話機から電話番号変換サービスを受けるための利用者登録要求を受付け、発信元電話機から入力される発信者の認証キーおよび着信先電話機へ通知する電話番号を利用者情報データベースに登録する第１のステップと、
前記利用者情報データベースへの登録後、任意の発信元電話機からの電話番号変換サービス要求を受け、当該任意の発信元電話機から入力される発信者の認証キーが前記利用者情報データベースに登録されているかを判定する利用者認証処理を行う第２のステップと、
前記利用者認証処理において利用者認証が肯定された場合のみ前記任意の発信元電話機から着信先電話番号を受付け、当該任意の発信元電話機の電話番号を前記利用者情報データベースの当該発信者の認証キーと共に登録されている着信先への通知電話番号に変換する第３のステップと、
前記第３のステップで受付けた着信先電話番号の電話機に対し、前記変換した通知電話番号を付加して発呼する第４のステップと
から成る処理をコンピュータに実行させることを特徴とする発信者電話番号変換プログラム。
【発明の詳細な説明】
【０００１】
【発明の属する技術分野】
本発明は、電話回線交換網における発信者電話番号の変換方法および装置並びにプログラムに関するものである。
【０００２】
【従来の技術】
従来、着信者が迷惑電話等により特定の電話番号でしか着信を許可していない場合がある。これは、例えば、着信電話機において、交換局からの呼出し信号に付加されている発信者電話番号が自電話機に予め登録しておいた着信可能番号に相当するかを判定する機能を実装することによって実現されるものである。
しかし、このような着信拒否機能を利用した場合、発信者は着信可能番号として登録されている電話番号の電話機からしか相手を呼び出すことができない。
例えば、着信先の相手が着信を許可している発信元の電話番号が、発信者の自宅の電話番号である場合、自宅以外の電話番号で発信した場合は着信が拒否されてしまい、相手を呼び出すことができない。このため、発信者はその相手との通話をするためには自宅の電話番号からの発信に限定されてしまうという問題がある。
【０００３】
この問題を解決するには、通話先の相手に対して、発信者が利用する携帯電話番号や勤務先等の全ての電話番号を着信可能電話番号として登録してもらうことが必要になるが、通話相手先における登録操作や番号管理が極めて面倒になり、実用性の点で問題がある。
また、次の特許文献１に開示された発信者電話番号変換方法を利用することが考えられる。この特許文献１に開示された発信電話番号変更方法は、通話先の電話機が故障している場合に、その故障している電話機の電話番号を電話番号変換表に基づいて別の電話番号（例えば内線電話番号）に変換して発信しようとするものである。
【０００４】
【特許文献１】
特開２００３−２３４８５号公報
【０００５】
そこで、故障している電話機の電話番号を着信が拒否された電話番号と仮定し、通話相手先の電話番号が着信拒否となった場合、通話相手先が所有する別の電話番号を検索し、その検索結果の電話番号に着信させるという方法が考えられる。
しかし、この公報に開示された技術は複数の電話番号を所有していない相手先には全く適用することができない。また、複数の電話番号を所有していたとしても、それぞれが着信可能電話番号を登録しておいた場合には、前記の場合と同様に、予め登録してある電話番号の電話機からしか呼び出すことができないという問題がある。
【０００６】
【発明が解決しようとする課題】
上記のように、通話先が特定の電話番号でしか着信を許可しないような着信拒否機能を実装した電話機と通話を行おうとする場合、発信元では通話先に予め登録されている特定の電話番号でしか通話先を呼び出すことができず、迷惑電話やいたずら電話の発信元でないことが明白な発信者についても非登録の外出先の電話機等から呼び出すことができないという問題がある。
また、着信拒否となる事態を解消するには、発信者が使用する複数の電話番号を予め通話相手先の電話機に登録してもらうことが必要になり、通話相手先における登録操作や番号管理が極めて面倒になり、実用性の点で問題がある。
【０００７】
本発明は、このような課題を解決するためのものであり、その目的は、通話相手先（着信先）に発信者の複数の着信可能電話番号を登録することなく、着信先に予め登録してある着信可能電話番号以外の任意の電話番号の電話機から通話相手先を呼び出すことができる発信者電話番号変換方法およびシステム並びにプログラムを提供することにある。
【０００８】
【課題を解決するための手段】
上記の目的を達成するために、本発明に係る発信者電話番号変換方法は、発信元電話機の電話番号を発信者が指定した電話番号に変換して着信先電話機に発呼信号と共に送信する発信者電話番号変換方法であって、
予め発信元電話機から電話番号変換サービスを受けるための利用者登録要求を受付け、発信元電話機から入力される発信者の認証キーおよび着信先電話機へ通知する電話番号を利用者情報データベースに登録する第１のステップと、前記利用者情報データベースへの登録後、任意の発信元電話機からの電話番号変換サービス要求を受け、当該任意の発信元電話機から入力される発信者の認証キーが前記利用者情報データベースに登録されているかを判定する利用者認証処理を行う第２のステップと、前記利用者認証処理において利用者認証が肯定された場合のみ前記任意の発信元電話機から着信先電話番号を受付け、当該任意の発信元電話機の電話番号を前記利用者情報データベースの当該発信者の認証キーと共に登録されている着信先への通知電話番号に変換する第３のステップと、前記第３のステップで受付けた着信先電話番号の電話機に対し、前記変換した通知電話番号を付加して発呼する第４のステップとを備えることを特徴とする。
【０００９】
また、前記第１のステップにおいて、電話番号変換サービスに係る課金先をさらに受付け、前記利用者情報データベースに登録することを特徴とする。
【００１０】
本発明に係る発信者電話番号変換装置は、予め発信元電話機から電話番号変換サービスを受けるための利用者登録要求を受付け、発信元電話機から入力される発信者の認証キーおよび着信先電話機へ通知する電話番号を利用者情報データベースに登録する第１の手段と、前記利用者情報データベースへの登録後、任意の発信元電話機からの電話番号変換サービス要求を受け、当該任意の発信元電話機から入力される発信者の認証キーが前記利用者情報データベースに登録されているかを判定する利用者認証処理を行う第２の手段と、前記利用者認証処理において利用者認証が肯定された場合のみ前記任意の発信元電話機から着信先電話番号を受付け、当該任意の発信元電話機の電話番号を前記利用者情報データベースの当該発信者の認証キーと共に登録されている着信先への通知電話番号に変換する第３の手段と、前記第３の手段で受付けた着信先電話番号の電話機に対し、前記変換した通知電話番号を付加して発呼する第４の手段とを備えることを特徴とする。
【００１１】
本発明に係る発信者電話番号変換プログラムは、予め発信元電話機から電話番号変換サービスを受けるための利用者登録要求を受付け、発信元電話機から入力される発信者の認証キーおよび着信先電話機へ通知する電話番号を利用者情報データベースに登録する第１のステップと、前記利用者情報データベースへの登録後、任意の発信元電話機からの電話番号変換サービス要求を受け、当該任意の発信元電話機から入力される発信者の認証キーが前記利用者情報データベースに登録されているかを判定する利用者認証処理を行う第２のステップと、前記利用者認証処理において利用者認証が肯定された場合のみ前記任意の発信元電話機から着信先電話番号を受付け、当該任意の発信元電話機の電話番号を前記利用者情報データベースの当該発信者の認証キーと共に登録されている着信先への通知電話番号に変換する第３のステップと、前記第３のステップで受付けた着信先電話番号の電話機に対し、前記変換した通知電話番号を付加して発呼する第４のステップとから成る処理をコンピュータに実行させることを特徴とする。
【００１２】
【発明の実施の形態】
以下、本発明を実施する場合の一形態を図面を参照して具体的に説明する。
図１は、本発明を適用した発信者電話番号変換システムの実施の形態を示す全体構成図である。
本実施形態の発信者電話番号変換システムは、電話番号変換サービスセンタ１に配置された変換装置１１と、音声ガイダンス再生装置１２および回線交換機１３とから構成されている。
変換装置１１は、具体的にはコンピュータで構成され、利用者登録プログラム１１０と、発信者番号変換プログラム１１１と、音声ガイダンス制御プログラム１１２と、利用者情報データベース１１３を備えている。利用者登録プログラム１１０と、発信者番号変換プログラム１１１は、音声ガイダンス制御プログラム１１２を制御し、音声ガイダンス再生装置１２から所定の音声ガイダンスを発生させ、回線交換機１３を介して発信者が使用する発信元電話機に対し、例えば「ユーザ認証キーを入力して下さい」といった音声ガイダンスを送信することができるようになっている。
なお、発信者が使用する発信元電話機２と着信先電話機３との通話路は回線交換機１３を通じて確立されるようになっている。
回線交換機１３および音声ガイダンス再生装置１２は、公衆電話網における交換局内のものを兼用することができる。
【００１３】
利用者情報データベース１１３には、図４に示すように、変換サービスを受けるためのユーザ認証キー４０１、変換サービスを受け得る常態か否かを示すサービス状態フラグ４０２、着信先へ通知する電話番号４０３、変換サービスを受けた場合の課金先の電話番号（課金先番号）４０４、変換サービス要求を受けた発信元電話機の電話番号（発信者電話番号）４０５、発信者が通話しようとしている着信先の電話番号４０６の登録エリアを備えている。
ユーザ認証キー４０１と着信先への通知番号４０３、課金先番号４０４は、発信者が利用者登録を行う際に、利用者から受付けた情報に従って登録される。
サービス状態フラグ４０２は、変換サービスセンタの管理者により、ＯＮまたはＯＦＦに設定され、ＯＦＦの場合には変換サービスを受けることができないようになっている。
発信者電話番号４０５は、発信元電話機２からサービスセンタ１への着信があった際に、回線交換機１３が捕捉した電話番号が登録される。
着信先電話番号４０６は、発信者の利用者認証が肯定された場合に、発信者から受けた着信先の電話番号が登録される。
以上の登録内容は、個々の利用者毎に登録される。また、着信先への通知番号は複数個登録可能になっている。
【００１４】
図２は、利用者登録プログラム１１０の利用者登録処理を示すフローチャートである。
発信者が変換サービスを受けるための利用者登録を行うに当っては、まず、発信者は変換サービスセンタ１を自分自身が所有する電話機または他の電話機を使用して変換サービスセンタ１を呼び出す。
すると、図２の利用者登録プログラムまたは図３の発信者番号変換プログラムが応答する。
利用者登録プログラム１１０は、変換サービスセンタ１に着信があると（ステップ２０１）、この着信に応答すると共に、回線交換機１３を介して発信元電話番号を捕捉する（ステップ２０２）。次に、音声ガイダンス制御プログラム１１２を制御し、音声ガイダンス再生装置１２から「利用者登録は１＃、変換サービスは２＃を入力して下さい」といった音声ガイダンスを再生させ、発信元の電話機に送信する（ステップ２０３）。
【００１５】
これに対し、発信元電話機の発信者（利用者登録を行おうとしている者）は、「１＃」をダイヤルボタンで操作して応答する。
利用者登録プログラム１１０は、所定時間内に「１＃」が受信されるか否かを監視しているが（ステップ２０４）、「１＃」が受信されたならば、次に、「着信先へ通知する発信者電話番号とユーザ認証キーを入力して下さい」といった音声ガイダンスを音声ガイダンス再生装置１２から発生させ、発信元の電話機に送信する（ステップ２０５）。なお、「２＃」が受信されたならば、図３の発信者番号変換プログラム１１１の処理に進む。
【００１６】
これに対し、発信元電話機の発信者（利用者登録を行おうとしている者）は、着信先へ通知する発信者電話番号として、例えば自宅の電話番号「０３−４５６７−ＹＹＹＹ」と「＃」キーをダイヤルボタンで操作し、さらにユーザ認証キーとして例えば「２０５２」と「＃」キーをダイヤルボタンで操作して応答する。
利用者登録プログラム１１０は、所定時間内に発信元電話機からの応答があるか否かを監視しているが（ステップ２０６）、２つの「＃」キーを含む応答があったならば、最初の「＃」の前に受信したダイヤル情報を着信先へ通知する発信者電話番号として認識し、次の「＃」キーの前に受信したダイヤル情報をユーザ認証キーとして認識し、一時記憶する。
【００１７】
次に、音声ガイダンス制御プログラム１１２を制御し、音声ガイダンス再生装置１２から「課金先の電話番号を入力して下さい」といった音声ガイダンスを再生させ、発信元の電話機に送信する（ステップ２０７）。
これに対し、発信元電話機の発信者が例えば自宅の電話番号「０３−４５６７−ＹＹＹＹ」をダイヤルボタン操作して応答すると、利用者登録プログラム１１０はこれを受信し（ステップ２０８）、ステップ２０６で受信して一時記憶させておいた「着信先へ通知する発信者電話番号＝０３−４５６７−ＹＹＹＹ」と「ユーザ認証キー＝２０５２」と共に、「課金先電話番号＝０３−４５６７−ＹＹＹＹ」を利用者情報データベース１１３に登録する（ステップ２０９）。
以上により、利用者登録が終了する。
【００１８】
なお、音声ガイダンスに従い発信者からの応答が所定時間以内になかった場合には、発信元電話機との回線を切断する。また、既に利用者登録を終えた他の利用者と同一の利用者認証キーが既に利用者情報データベース１１３に登録されていた場合には、異なる利用者認証キーを入力するように案内する。
また、着信先へ通知する番号として、例えば自宅の電話番号の他に、会社の電話番号や携帯電話機の電話番号がある場合には、１つ目の電話番号を登録した後、ステップ２０４に戻って次の電話番号を登録することができる。
図４では、着信先へ通知する番号として、例えば自宅の電話番号の他に、会社の電話番号や携帯電話機の電話番号を登録した例を示している。また、認証キーとして「２０５２」を登録した例を示している。
【００１９】
図３は、発信者番号変換プログラム１１１の処理を示すフローチャートである。
発信者が利用者登録を終えた後、変換サービスセンタ１による電話番号の変換サービスを受けるに当っては、まず、発信者は任意の電話機を使用して変換サービスセンタ１を呼び出す。任意の電話機とは、利用者情報データベース１１３に登録した「着信先へ通知する電話番号」の電話機に限らず、公衆電話機や他人の電話機を含むものである。
すると、図３の発信者番号変換プログラム１１１または図２の利用者登録プログラム１１０が応答する。
発信者番号変換プログラム１１１は、変換サービスセンタ１に着信があると（ステップ３０１）、この着信に応答すると共に、回線交換機１３を介して発信元電話番号を捕捉する（ステップ３０２）。次に、音声ガイダンス制御プログラム１１２を制御し、音声ガイダンス再生装置１２から「利用者登録は１＃、変換サービスは２＃を入力して下さい」といった音声ガイダンスを再生させ、発信元の電話機に送信する（ステップ３０３）。
【００２０】
これに対し、発信元電話機の発信者（既に利用者登録を終え、変換サービスを受けようとする者）は、「２＃」をダイヤルボタンで操作して応答する。
発信者番号変換プログラム１１１は、所定時間内に「２＃」が受信されるか否かを監視しているが（ステップ３０４）、「２＃」が受信されたならば、次に、「ユーザ認証キーと着信先の通知番号を入力して下さい」といった音声ガイダンスを音声ガイダンス再生装置１２から発生させ、発信元の電話機に送信する（ステップ３０５）。なお、「１＃」が受信されたならば、図１の利用者登録プログラム１１０の処理に進む。
【００２１】
これに対し、発信元電話機の発信者（変換サービスを受けようとする者）は、着信先へ通知する発信者電話番号として、例えば自宅の電話番号「０３−４５６７−ＹＹＹＹ」と「＃」キーをダイヤルボタンで操作し、さらにユーザ認証キーとして例えば「２０５２」と「＃」キーをダイヤルボタンで操作して応答する。
発信者番号変換プログラム１１１は、所定時間内に発信元電話機からの応答があるか否かを監視しているが、２つの「＃」キーを含む応答があったならば、最初の「＃」の前に受信したダイヤル情報を着信先へ通知する発信者電話番号として認識し、次の「＃」キーの前に受信したダイヤル情報をユーザ認証キーとして認識し、一時記憶する。
【００２２】
次に、一時記憶した認証キー「２０５２」が利用者情報データベース１１３に登録されているか否かを検索し、登録されていたならば、その認証キーと同じ登録エリアに一時記憶した着信先への通知番号「０３−４５６７−ＹＹＹＹ」が登録されているかを調べる。すなわち、ユーザ認証処理を行う（ステップ３０６）。
この結果、発信元から受信した認証キーと着信先への通知番号と同じものが登録されていたならば、次にサービス状態フラグ４０２で当該ユーザ認証キーを持つユーザへの変換サービスが停止されていないかを調べる（ステップ３０７）。
もしもサービス状態フラグ４０２がＯＦＦならば、「変換サービスは提供できません」といった音声ガイダンスを音声ガイダンス再生装置１２から再生させ、発信元の電話機に送信し（ステップ３０８）、発信元電話機との回線を切断して終了する。
なお、発信元電話機から受信したユーザ認証キーおよび着信先への通知番号の一方の認証が否定された場合には、ユーザ認証否定とし、ステップ３０８へ進む。
なお、ユーザ認証はユーザ認証キーのみの照合にすることができる。
ユーザ認証キーと着信先への通知番号の２組の情報によってユーザ認証を行なうことにより、ユーザ認証キーが漏洩した際の不正行為に対する防御性能を高めることができる。
【００２３】
サービス状態フラグ４０２がＯＮの場合には、次に、「着信先電話番号を入力して下さい」といった音声ガイダンスを音声ガイダンス再生装置１２から発生させ、発信元電話機に送信する（ステップ３０９）。
これに対し、発信元電話機の発信者が例えば着信先電話番号として「０３−７８９０−ＺＺＺＺ」をダイヤルボタン操作して応答し、この着信先電話番号を受信すると（ステップ３１０）、発信者番号変換プログラム１１１はステップ３０２で受信して捕捉しておいた発信元電話機の電話番号を、利用者情報データベース１１３に登録されている「着信先へ通知番号」に変換し（ステップ３１１）、変換した番号を着信先電話番号「０３−７８９０−ＺＺＺＺ」に付加して回線交換機１３に送信する（ステップ３１２）。回線交換機１３は、着信先電話番号「０３−７８９０−ＺＺＺＺ」の着信先電話機に対し「着信先へ通知番号」を付加して発呼する。これにより、着信先電話機がオフフックによって応答すれば、発信元電話機と着信先電話機とが通話状態になる。
【００２４】
ここで、着信先電話機に通知する番号は、着信先電話機で着信可能番号として登録されているものである。
したがって、発信元電話機の電話番号が任意の番号であったとしても、着信先では拒否しない着信可能な番号に変換されて着信先に通知されるため、目的とする着信先の相手との通話が可能になる。また、着信先では、同じ発信者に対して自宅、会社、携帯電話機といった複数の電話番号を登録しておく必要がなく、変換サービスセンタを経由することにより、出張先のホテルや公衆電話機からでも応答することが可能になる。
【００２５】
図５は、発信者が出張先のホテル（電話番号０３−９９９９−ＦＦＦＦ）から変換サービスセンタ１で自宅の電話番号（０３−４５６７−ＹＹＹＹ）に変換させ、着信先（電話番号０３−７８６０―ＺＺＺＺ）を呼び出す例を示している。
この場合、自宅（電話番号０３−４５６７−ＹＹＹＹ）から着信先へは、着信先電話機に自宅電話番号が着信可能番号として登録されているため、変換サービスセンタ１を経由することなく呼び出すことができる。
なお、図４のように、着信先への通知番号として複数の電話番号が登録されていた場合には、発信者番号変換プログラム１１１はステップ３０９の処理を行う前に、いずれかを選択させる。
ここで、着信先への通知番号は、着信先との事前の打ち合わせまたは約束で決めておけばよいものであるため、実在しない電話番号でなくても良い。例えば発信者が着信者の実家の者であれば「０００−００」、発信者が着信者の兄弟であれば「０００−１１」といったような番号にすることができる。これにより、着信者は発信者が誰であるかを通知番号によって直ちに識別できることが可能になる。
ただし、課金先電話番号は実在のものである必要がある。
なお、変換装置１１における利用者登録プログラム１１０、発信者番号変換プログラム１１１、音声ガイダンス制御プログラム１１２は１つのプログラムとして構成することができる。
【００２６】
また、本発明を利用すれば、居場所を偽って相手を呼び出すといった不正行為が行われることが考えられる。これに対しては、変換サービスセンタ１において変換サービス履歴を記録しておき、課金先にサービス料金請求書と共に送付する、あるいは着信先が応答したときに、変換サービスセンタ経由であり、変換元電話番号は何番であることを通知することにより解消することができる。
【００２７】
【発明の効果】
以上に説明したとおり、本発明によれば、通話相手先（着信先）に発信者の複数の着信可能電話番号を登録することなく、着信先予め登録してある着信可能電話番号以外の任意の電話番号の電話機から通話相手先を呼び出すことができる。
【図面の簡単な説明】
【図１】本発明に係る発信者番号変換システムの実施の形態を示すシステム構成図である。
【図２】利用者登録プログラムの処理を示すフローチャートである。
【図３】発信者番号変換プログラムの処理を示すフローチャートである。
【図４】利用者情報データベースの登録内容の例を示す図である。
【図５】発信者電話番号の変換例を示す図である。
【符号の説明】
１…発信者番号変換サービスセンタ、２…発信元電話機、３…着信先電話機、１１…変換装置、１２…音声ガイダンス再生装置、１３…回線交換機、１１０…利用者登録プログラム、１１１…発信者番号変換プログラム、１１２…音声ガイダンス制御プログラム。
【図１】
2005012658.tif 000003
【図２】
2005012658.tif 000004
【図３】
2005012658.tif 000005
【図４】
2005012658.tif 000006
【図５】
2005012658.tif 000007